(57)【特許請求の範囲】
【請求項１】
アナログ信号で入力される映像信号を輝度信号と色差信号に分離する分離回路、若しくは前記輝度信号と色差信号が分離されて供給される映像信号入力端子と、
前記輝度信号と色差信号を３原色信号に変換する変換回路、若しくは前記３原色信号が独立に供給される原色信号入力端子と、
前記３原色信号をアナログデジタル変換するＡ／Ｄ変換手段、若しくは前記デジタル変換された３原色信号が独立に供給されるデジタル入力端子
を有する表示装置であって、
前記分離回路または映像信号入力端子から供給される輝度信号、あるいは前記変換回路または原色信号入力端子から供給される３原色信号、あるいは前記Ａ／Ｄ変換手段またはデジタル入力端子から供給されるデジタル変換された３原色信号が入力され、前記入力された信号を所定のレベルと比較して該レベルより高いとき“０”低いとき“１”となる方形波信号に変換する比較回路と、前記方形波信号を積分する積分回路と、前記積分回路からの積分値を示す信号をガンマ補正手段との電気的インターフェースのために電圧変換した出力制御信号を生成する制御回路とを備える測定手段と、
前記分離回路または映像信号入力端子から供給される輝度信号、あるいは前記変換回路または原色信号入力端子から供給される３原色信号のそれぞれ、あるいは前記Ａ／Ｄ変換手段またはデジタル入力端子から供給されるデジタル変換された３原色信号のそれぞれに対して設けられており、前記測定手段からの前記出力制御信号のレベルが小さいときは略直線とされ、前記出力制御信号のレベルが大きくなるにつれて中間信号レベルを増強するように制御される制御特性のガンマ補正曲線を有するガンマ補正手段とを備える
表示装置。
【請求項２】
請求項１記載の表示装置において、
前記測定手段は、前記分離回路または映像信号入力端子から供給されるアナログ輝度信号を入力とし、
前記アナログ輝度信号を所定のレベルと比較して該レベルより高いとき“０”低いとき“１”となる方形波信号に変換する比較回路と、
前記方形波信号を積分する積分回路と、
前記積分回路からの積分値を示す信号を前記ガンマ補正手段との電気的インターフェースのために電圧変換した前記出力制御信号を生成する制御回路とを備える
表示装置。
【請求項３】
請求項１記載の表示装置において、
前記測定手段は、前記変換回路または原色信号入力端子から供給されるアナログ３原色信号を入力とし、
前記３原色信号を所定の割合で加算してアナログ輝度信号を生成するアナログ輝度信号生成回路と、
前記生成されたアナログ輝度信号を所定のレベルと比較して該レベルより高いとき“０”低いとき“１”となる方形波信号に変換する比較回路と、
前記方形波信号を積分する積分回路と、
前記積分回路からの積分値を示す信号を前記ガンマ補正手段との電気的インターフェースのために電圧変換した前記出力制御信号を生成する制御回路とを備える
表示装置。
【請求項４】
請求項１記載の表示装置において、
前記測定手段は、前記Ａ／Ｄ変換手段またはデジタル入力端子から供給されるデジタル変換された３原色信号を入力とし、
前記デジタル変換された３原色信号を所定の割合で加算してデジタル輝度信号を生成するデジタル輝度信号生成回路と、
前記生成されたデジタル輝度信号を所定のレベルと比較して該レベルより高いとき“０”低いとき“１”となる方形波信号に変換する比較回路と、
前記方形波信号を積分する積分回路と、
前記積分回路からの積分値を示す信号を前記ガンマ補正手段との電気的インターフェースのために電圧変換した前記出力制御信号を生成する制御回路とを備える
表示装置。
【請求項５】
請求項１記載の表示装置において、
前記ガンマ補正手段は前記分離回路または映像信号入力端子から供給されるアナログ輝度信号に対して設けられ、
前記測定手段からの出力制御信号は前記分離回路または映像信号入力端子から供給されるアナログ輝度信号に基づいて生成され、
前記測定手段からの出力制御信号により前記ガンマ補正手段をフィードフォワード制御する
表示装置。
【請求項６】
請求項１記載の表示装置において、
前記ガンマ補正手段は前記分離回路または映像信号入力端子から供給されるアナログ輝度信号に対して設けられ、
前記測定手段からの出力制御信号は前記ガンマ補正手段から出力されるアナログ輝度信号に基づいて生成され、
前記測定手段からの出力制御信号により前記ガンマ補正手段をフィードバック制御する
表示装置。
【請求項７】
請求項１記載の表示装置において、
前記ガンマ補正手段は前記分離回路または映像信号入力端子から供給されるアナログ輝度信号に対して設けられ、
前記測定手段からの出力制御信号は前記変換回路から出力されるアナログ３原色信号に基づいて生成され、
前記測定手段からの出力制御信号により前記ガンマ補正手段をフィードバック制御する
表示装置。
【請求項８】
請求項１記載の表示装置において、
前記ガンマ補正手段は前記分離回路または映像信号入力端子から供給されるアナログ輝度信号に対して設けられ、
前記測定手段からの出力制御信号は前記Ａ／Ｄ変換手段から出力されるデジタル変換された３原色信号に基づいて生成され、
前記測定手段からの出力制御信号により前記ガンマ補正手段をフィードバック制御する
表示装置。
【請求項９】
請求項１記載の表示装置において、
前記ガンマ補正手段は前記分離回路または映像信号入力端子から供給されるアナログ輝度信号に対して設けられると共に、
映像信号を構成する２色差信号が入力され、供給される制御信号のレベルが上がることに応じて入出力特性のゲインが上がるカラー利得制御手段が設けられ、
前記測定手段からの出力制御信号は前記分離回路または映像信号入力端子から供給されるアナログ輝度信号に基づいて生成され、
前記測定手段からの出力制御信号により前記ガンマ補正手段及びカラー利得制御手段をフィードフォワード制御する
表示装置。
【請求項１０】
請求項１記載の表示装置において、
前記ガンマ補正手段は前記分離回路または映像信号入力端子から供給されるアナログ輝度信号に対して設けられると共に、
映像信号を構成する２色差信号が入力され、供給される制御信号のレベルが上がることに応じて入出力特性のゲインが上がるカラー利得制御手段が設けられ、
前記測定手段からの出力制御信号は前記ガンマ補正手段から出力されるアナログ輝度信号に基づいて生成され、
前記測定手段からの出力制御信号により前記ガンマ補正手段及びカラー利得制御手段をフィードバック制御する
表示装置。
【請求項１１】
請求項１記載の表示装置において、
前記ガンマ補正手段は前記分離回路または映像信号入力端子から供給されるアナログ輝度信号に対して設けられると共に、
映像信号を構成する２色差信号が入力され、供給される制御信号のレベルが上がることに応じて入出力特性のゲインが上がるカラー利得制御手段が設けられ、
前記測定手段からの出力制御信号は前記変換回路から出力されるアナログ３原色信号に基づいて生成され、
前記測定手段からの出力制御信号により前記ガンマ補正手段及びカラー利得制御手段をフィードバック制御する
表示装置。
【請求項１２】
請求項１記載の表示装置において、
前記ガンマ補正手段は前記分離回路または映像信号入力端子から供給されるアナログ輝度信号に対して設けられると共に、
映像信号を構成する２色差信号が入力され、供給される制御信号のレベルが上がることに応じて入出力特性のゲインが上がるカラー利得制御手段が設けられ、
前記測定手段からの出力制御信号は前記Ａ／Ｄ変換手段から出力されるデジタル変換された３原色信号に基づいて生成され、
前記測定手段からの出力制御信号により前記ガンマ補正手段及びカラー利得制御手段をフィードバック制御する
表示装置。
【請求項１３】
請求項１記載の表示装置において、
前記ガンマ補正手段は前記変換回路から出力される３原色信号のそれぞれに対して設けられ、
前記測定手段からの出力制御信号は前記分離回路または映像信号入力端子から供給されるアナログ輝度信号に基づいて生成され、
前記測定手段からの出力制御信号により前記ガンマ補正手段のそれぞれをフィードフォワード制御する
表示装置。
【請求項１４】
請求項１記載の表示装置において、
前記ガンマ補正手段は前記変換回路または原色信号入力端子から供給される３原色信号のそれぞれに対して設けられ、
前記測定手段からの出力制御信号は前記変換回路または原色信号入力端子から供給されるアナログ３原色信号に基づいて生成され、
前記測定手段からの出力制御信号により前記ガンマ補正手段のそれぞれをフィードフォワード制御する
表示装置。
【請求項１５】
請求項１記載の表示装置において、
前記ガンマ補正手段は前記変換回路または原色信号入力端子から供給される３原色信号のそれぞれに対して設けられ、
前記測定手段からの出力制御信号は前記ガンマ補正手段から出力されるアナログ３原色信号に基づいて生成され、
前記測定手段からの出力制御信号により前記ガンマ補正手段のそれぞれをフィードバック制御する
表示装置。
【請求項１６】
請求項１記載の表示装置において、
前記ガンマ補正手段は前記変換回路または原色信号入力端子から供給される３原色信号のそれぞれに対して設けられ、
前記測定手段からの出力制御信号は前記Ａ／Ｄ変換手段から出力されるデジタル変換された３原色信号に基づいて生成され、
前記測定手段からの出力制御信号により前記ガンマ補正手段のそれぞれをフィードバック制御する
表示装置。
【請求項１７】
請求項１記載の表示装置において、
前記ガンマ補正手段は前記Ａ／Ｄ変換手段から出力されるデジタル変換された３原色信号のそれぞれに対して設けられ、
前記測定手段からの出力制御信号は前記分離回路または映像信号入力端子から供給されるアナログ輝度信号に基づいて生成され、
前記測定手段からの出力制御信号により前記ガンマ補正手段のそれぞれをフィードフォワード制御する
表示装置。
【請求項１８】
請求項１記載の表示装置において、
前記ガンマ補正手段は前記Ａ／Ｄ変換手段から出力されるデジタル変換された３原色信号のそれぞれに対して設けられ、
前記測定手段からの出力制御信号は前記変換回路または原色信号入力端子から供給されるアナログ３原色信号に基づいて生成され、
前記測定手段からの出力制御信号により前記ガンマ補正手段のそれぞれをフィードフォワード制御する
表示装置。
【請求項１９】
請求項１記載の表示装置において、
前記ガンマ補正手段は前記Ａ／Ｄ変換手段またはデジタル入力端子から供給されるデジタル変換された３原色信号のそれぞれに対して設けられ、
前記測定手段からの出力制御信号は前記Ａ／Ｄ変換手段またはデジタル入力端子から供給されるデジタル変換された３原色信号に基づいて生成され、
前記測定手段からの出力制御信号により前記ガンマ補正手段のそれぞれをフィードフォワード制御する
表示装置。
【請求項２０】
請求項１記載の表示装置において、
前記ガンマ補正手段は前記Ａ／Ｄ変換手段またはデジタル入力端子から供給される３原色信号のそれぞれに対して設けられ、
前記測定手段からの出力制御信号は前記ガンマ補正手段から出力されるデジタル３原色信号に基づいて生成され、
前記測定手段からの出力制御信号により前記ガンマ補正手段のそれぞれをフィードバック制御する
表示装置。
【発明の詳細な説明】
【０００１】
【発明の属する技術分野】
本発明は、表示手段として、特にプラズマディスプレイや液晶ディスプレイ等を用いて表示を行う場合に使用して好適な表示装置に関する。詳しくは、表示される映像信号の平均輝度が低い場合に、その最大出力を一定に保持しながら、その中間輝度を増加させて全体の画像を見易くするものである。
【０００２】
【従来の技術】
表示手段として、例えばプラズマディスプレイや液晶ディスプレイを用いる表示装置においては、例えば明るい環境下での観視では表示のコントラストが低下して、特に被写体輝度レベルの低い暗いシーンを表示している場合に画像が見辛いものになってしまう。これに対して、例えば陰極線管を用いる表示装置では、例えば映像信号の平均輝度レベルを測定して、そのレベルが低下したときにはコントラストを上げる（映像信号の振幅を大きくする）ようにした自動制御を行うことが考えられる。
【０００３】
【発明が解決しようとする課題】
ところが、例えばプラズマディスプレイや液晶ディスプレイを用いる表示装置においては、これらの表示手段の輝度のダイナミックレンジが狭く、これを最大限有効活用したいために、コントラストの余裕をほとんど無くして、通常の映像信号の振幅の最大値が既にダイナミックレンジの限界にまで設定されている場合がある。このため、それ以上にコントラストを上げると、例えば白ピークがダイナミックレンジを越えて飽和してしまう恐れが生じる。
【０００４】
すなわち、例えば全体が暗い被写体の中に一部分だけ明るくなっているようなシーンでは、平均輝度レベルの測定から全体のコントラストが上げられると、明るい部分の信号レベルがダイナミックレンジを越えてしまう恐れが生じる。このためこのようなシーンでは、上述の明るい部分の映像信号が飽和してしまい、いわゆる白潰れとなってこの部分の階調が表現できなくなってしまうなどの弊害が生じるものである。
【０００５】
この出願はこのような点に鑑みて成されたものであって、解決しようとする問題点は、従来の装置では例えば被写体輝度レベルの低いシーンでは画像が見辛くなってしまうことがあり、これに対して全体のコントラストを上げると、例えば全体が暗い被写体の中に一部分だけ明るくなっているようなシーンで、この明るい部分がいわゆる白潰れになって、この部分の階調表現ができなくなってしまうなどの弊害を生じるというものである。
【０００６】
【課題を解決するための手段】
このため本発明においては、表示される映像信号を所定のレベルと比較してそのレベルより高いとき“０”低いとき“１”となる方形波信号に変換する比較回路，この方形波信号を積分する積分回路及び積分回路からの積分値を示す信号をガンマ補正手段との電気的インターフェースのために電圧変換した出力制御信号を生成する制御回路を備える測定手段と、この測定手段からの出力制御信号のレベルが小さいときは略直線とされ、この出力制御信号のレベルが大きくなるにつれて中間信号レベルを増強するように制御されるガンマ補正手段とを備えたものであって、これによれば、被写体輝度レベルの低いシーンでは中間輝度レベルが増強されて暗いシーンの画像が見易くなると共に、この際に映像信号の最大出力を一定に保持するので、全体が暗い被写体の中に一部分だけ明るくなっているようなシーンでも明るい部分の階調を良好に表現することができる。
【０００７】
【発明の実施の形態】
すなわち本発明の第１の実施形態は、アナログ信号で入力される映像信号を輝度信号と色差信号に分離する分離回路、若しくは輝度信号と色差信号が分離されて供給される映像信号入力端子と、輝度信号と色差信号を３原色信号に変換する変換回路、若しくは３原色信号が独立に供給される原色信号入力端子と、３原色信号をアナログデジタル変換するＡ／Ｄ変換手段、若しくはデジタル変換された３原色信号が独立に供給されるデジタル入力端子を有する表示装置であって、分離回路または映像信号入力端子から供給される輝度信号、あるいは変換回路または原色信号入力端子から供給される３原色信号、あるいはＡ／Ｄ変換手段またはデジタル入力端子から供給されるデジタル変換された３原色信号が入力され、入力された信号を所定のレベルと比較してそのレベルより高いとき“０”低いとき“１”となる方形波信号に変換する比較回路，この方形波信号を積分する積分回路及び積分回路からの積分値を示す信号をガンマ補正手段との電気的インターフェースのために電圧変換した出力制御信号を生成する制御回路を備える測定手段と、分離回路または映像信号入力端子から供給される輝度信号、あるいは変換回路または原色信号入力端子から供給される３原色信号のそれぞれ、あるいはＡ／Ｄ変換手段またはデジタル入力端子から供給されるデジタル変換された３原色信号のそれぞれに対して設けられており、測定手段からの出力制御信号のレベルが小さいときは略直線とされ、前記出力制御信号のレベルが大きくなるにつれて中間信号レベルを増強するように制御される制御特性のガンマ補正曲線を有するガンマ補正手段とを備えてなるものである。
【０００８】
また、本発明の第２の実施形態は、上記の表示装置において、測定手段は、分離回路または映像信号入力端子から供給されるアナログ輝度信号を入力とし、アナログ輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えてなるものである。
【０００９】
さらに本発明の第３の実施形態は、上記の表示装置において、測定手段は、変換回路または原色信号入力端子から供給されるアナログ３原色信号を入力とし、３原色信号を所定の割合で加算してアナログ輝度信号を生成するアナログ輝度信号生成回路と、生成されたアナログ輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えてなるものである。
【００１０】
さらに本発明の第４の実施形態は、上記の表示装置において、測定手段は、Ａ／Ｄ変換手段またはデジタル入力端子から供給されるデジタル変換された３原色信号を入力とし、デジタル変換された３原色信号を所定の割合で加算してデジタル輝度信号を生成するデジタル輝度信号生成回路と、生成されたデジタル輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えてなるものである。
【００１２】
また、本発明の第６の実施形態は、上記の表示装置において、ガンマ補正手段は分離回路または映像信号入力端子から供給されるアナログ輝度信号に対して設けられ、測定手段からの出力制御信号は分離回路または映像信号入力端子から供給されるアナログ輝度信号に基づいて生成され、測定手段からの出力制御信号によりガンマ補正手段をフィードフォワード制御してなるものである。
【００１３】
さらに本発明の第７の実施形態は、上記の表示装置において、ガンマ補正手段は分離回路または映像信号入力端子から供給されるアナログ輝度信号に対して設けられ、測定手段からの出力制御信号はガンマ補正手段から出力されるアナログ輝度信号に基づいて生成され、測定手段からの出力制御信号によりガンマ補正手段をフィードバック制御してなるものである。
【００１４】
さらに本発明の第８の実施形態は、上記の表示装置において、ガンマ補正手段は分離回路または映像信号入力端子から供給されるアナログ輝度信号に対して設けられ、測定手段からの出力制御信号は変換回路から出力されるアナログ３原色信号に基づいて生成され、測定手段からの出力制御信号によりガンマ補正手段をフィードバック制御してなるものである。
【００１５】
さらに本発明の第９の実施形態は、上記の表示装置において、ガンマ補正手段は分離回路または映像信号入力端子から供給されるアナログ輝度信号に対して設けられ、測定手段からの出力制御信号はＡ／Ｄ変換手段から出力されるデジタル変換された３原色信号に基づいて生成され、測定手段からの出力制御信号によりガンマ補正手段をフィードバック制御してなるものである。
【００１６】
また、本発明の第１０の実施形態は、上記の表示装置において、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号は分離回路または映像信号入力端子から供給されるアナログ輝度信号に基づいて生成され、測定手段からの出力制御信号によりガンマ補正手段及びカラー利得制御手段をフィードフォワード制御してなるものである。
【００１７】
さらに本発明の第１１の実施形態は、上記の表示装置において、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号はガンマ補正手段から出力されるアナログ輝度信号に基づいて生成され、測定手段からの出力制御信号によりガンマ補正手段及びカラー利得制御手段をフィードバック制御してなるものである。
【００１８】
さらに本発明の第１２の実施形態は、上記の表示装置において、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号は変換手段から出力されるアナログ３原色信号に基づいて生成され、測定手段からの出力制御信号によりガンマ補正手段及びカラー利得制御手段をフィードバック制御してなるものである。
【００１９】
さらに本発明の第１３の実施形態は、上記の表示装置において、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号はＡ／Ｄ変換手段から出力されるデジタル変換された３原色信号に基づいて生成され、測定手段からの出力制御信号によりガンマ補正手段及びカラー利得制御手段をフィードバック制御してなるものである。
【００２０】
また、本発明の第１４の実施形態は、上記の表示装置において、ガンマ補正手段は変換回路から出力される３原色信号のそれぞれに対して設けられ、測定手段からの出力制御信号は分離回路または映像信号入力端子から供給されるアナログ輝度信号に基づいて生成され、測定手段からの出力制御信号によりガンマ補正手段のそれぞれをフィードフォワード制御してなるものである。
【００２１】
さらに本発明の第１５の実施形態は、上記の表示装置において、ガンマ補正手段は変換回路または原色信号入力端子から供給される３原色信号のそれぞれに対して設けられ、測定手段からの出力制御信号は変換回路または原色信号入力端子から供給されるアナログ３原色信号に基づいて生成され、測定手段からの出力制御信号によりガンマ補正手段のそれぞれをフィードフォワード制御してなるものである。
【００２２】
さらに本発明の第１６の実施形態は、上記の表示装置において、ガンマ補正手段は変換回路または原色信号入力端子から供給される３原色信号のそれぞれに対して設けられ、測定手段からの出力制御信号はガンマ補正手段から出力されるアナログ３原色信号に基づいて生成され、測定手段からの出力制御信号によりガンマ補正手段のそれぞれをフィードバック制御してなるものである。
【００２３】
さらに本発明の第１７の実施形態は、上記の表示装置において、ガンマ補正手段は変換回路または原色信号入力端子から供給される３原色信号のそれぞれに対して設けられ、測定手段からの出力制御信号はＡ／Ｄ変換手段から出力されるデジタル変換された３原色信号に基づいて生成され、測定手段からの出力制御信号によりガンマ補正手段のそれぞれをフィードバック制御してなるものである。
【００２４】
また、本発明の第１８の実施形態は、上記の表示装置において、ガンマ補正手段はＡ／Ｄ変換手段から出力されるデジタル変換された３原色信号のそれぞれに対して設けられ、測定手段からの出力制御信号は分離回路または映像信号入力端子から供給されるアナログ輝度信号に基づいて生成され、測定手段からの出力制御信号によりガンマ補正手段のそれぞれをフィードフォワード制御してなるものである。
【００２５】
さらに本発明の第１９の実施形態は、上記の表示装置において、ガンマ補正手段はＡ／Ｄ変換手段から出力されるデジタル変換された３原色信号のそれぞれに対して設けられ、測定手段からの出力制御信号は変換回路または原色信号入力端子から供給されるアナログ３原色信号に基づいて生成され、測定手段からの出力制御信号によりガンマ補正手段のそれぞれをフィードフォワード制御してなるものである。
【００２６】
さらに本発明の第２０の実施形態は、上記の表示装置において、ガンマ補正手段はＡ／Ｄ変換手段またはデジタル入力端子から供給されるデジタル変換された３原色信号のそれぞれに対して設けられ、測定手段からの出力制御信号はＡ／Ｄ変換手段またはデジタル入力端子から供給されるデジタル変換された３原色信号に基づいて生成され、測定手段からの出力制御信号によりガンマ補正手段のそれぞれをフィードフォワード制御してなるものである。
【００２７】
さらに本発明の第２１の実施形態は、上記の表示装置において、ガンマ補正手段はＡ／Ｄ変換手段またはデジタル入力端子から供給される３原色信号のそれぞれに対して設けられ、測定手段からの出力制御信号はガンマ補正手段から出力されるデジタル３原色信号に基づいて生成され、測定手段からの出力制御信号によりガンマ補正手段のそれぞれをフィードバック制御してなるものである。
【００２８】
以下、図面を参照して本発明を説明するに、図１は本発明を適用した表示装置の一実施形態の構成を示すブロック図である。
【００２９】
図１において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００３０】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００３１】
さらにこのダイナミックガンマ回路５からの補正された輝度信号（Ｙ）と、上述の切り換えスイッチ３Ｒ、３Ｂからの２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００３２】
一方、切り換えスイッチ３Ｙからの輝度信号（Ｙ）が任意の基準レベルと比較される比較回路９に供給されて、基準レベルより高いとき“０”低いとき“１”となる方形波信号に変換される。この方形波信号が積分回路１０で積分されて、その積分値を示す信号が形成される。（以下、発明の実施の形態欄では、この積分値を、上述の輝度信号（Ｙ）の“平均輝度レベル”と称することにする。）なおこの積分回路１０は例えば５Ｖ系の回路である。そこで上述の形成された信号は、例えば上述のダイナミックガンマ回路５との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５に供給される。
【００３３】
こうしてこの装置においては、例えば分離回路２、若しくはコンポーネント入力端子４から切り換えスイッチ３Ｙを通じて供給される輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５に供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードフォワード制御される。
【００３４】
従ってこの装置において、表示される映像信号の平均輝度レベルを測定する測定手段と、この測定手段からの出力制御信号により制御されるガンマ補正手段とを備えたことにより、表示される映像信号の平均輝度レベルに応じてガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【００３５】
これによって、従来の装置では例えば被写体輝度レベルの低いシーンでは画像が見辛くなってしまうことがあり、これに対して全体のコントラストを上げると、例えば全体が暗い被写体の中に一部分だけ明るくなっているようなシーンで、この明るい部分がいわゆる白潰れになって、この部分の階調表現ができなくなってしまうなどの弊害を生じるという問題点があったものを、本発明によればこれらの問題点を容易に解消することができるものである。
【００３６】
ここで図３には、上述のダイナミックガンマ回路５を実現するための具体的な回路構成の一例を示す。この図３において、入力端子３０には、例えば上述した切り換えスイッチ３Ｙからの輝度信号（Ｙ）が供給される。また制御端子３１には、上述の制御回路１１からの出力制御信号（電圧）Ｖｃが供給される。そして入力端子３０に供給される輝度信号（Ｙ）が、例えば上述の出力制御信号Ｖｃによって制御されるゲインコントロール回路３２に供給され、このゲインコントロール回路３２からの信号がペデスタルクランプ回路３３に供給される。
【００３７】
さらにこのペデスタルクランプ回路３３の出力が、ｎｐｎ形トランジスタ３４のベースに接続される。そしてこのトランジスタ３４のコレクタが電源Ｖｃｃの電源ライン３５に接続される。またこのトランジスタ３４のエミッタが抵抗器３６を通じて接地されると共に、このトランジスタ３４のエミッタから抵抗器３７を通じて出力端子３８が導出される。
【００３８】
一方、上述の出力制御信号（電圧）Ｖｃの供給される制御端子３１がｎｐｎ形トランジスタ３９のベースに接続される。そしてこのトランジスタ３９のエミッタが抵抗器４０を通じて接地される。またこのトランジスタ３９のコレクタが抵抗器４１を通じて電源Ｖｃｃの電源ライン３５に接続されると共に、このトランジスタ３９のコレクタがｎｐｎ形トランジスタ４２のベースに接続される。
【００３９】
さらにこのトランジスタ４２のコレクタが電源Ｖｃｃの電源ライン３５に接続される。またこのトランジスタ４２のエミッタが抵抗器４３を通じて抵抗器４４とコンデンサ４５の積分回路に接続される。さらに抵抗器４３と積分回路との接続中点（ａ）がｐｎｐ形トランジスタ４６のベースに接続される。そしてこのトランジスタ４６のコレクタが接地され、このトランジスタ４６のエミッタが抵抗器４７を通じて抵抗器３７と出力端子３８との接続中点に接続される。
【００４０】
この回路において、上述のゲインコントロール回路３２は、例えば出力制御信号（電圧）Ｖｃが上がると、入出力特性のゲインも上がる構成のものである。そして入力端子３０に供給された輝度信号（Ｙ）は、このゲインコントロール回路３２を通じてペデスタルクランプ回路３３に供給される。さらにこのペデスタルクランプされた映像信号が、トランジスタ３４のエミッタホロアを通じて抵抗器３７、４７、トランジスタ４６で構成される「折れ線回路」に供給される。
【００４１】
この「折れ線回路」では、トランジスタ３４のエミッタ（ｂ点）の信号レベルが、〔上述のａ点の電圧＋トランジスタ４６のベース−エミッタ間電圧Ｖｂｅ〕より低ければ、トランジスタ４６はオフしてｂ点の信号レベルがそのまま出力端子３８に取り出される。これに対してｂ点の信号レベルが、〔上述のａ点の電圧＋トランジスタ４６のベース−エミッタ間電圧Ｖｂｅ〕より高くなると、トランジスタ４６がオンしてｂ点の信号レベルは抵抗器３７、４７で分圧されて出力端子３８に取り出されることになる。
【００４２】
すなわちこの「折れ線回路」においては、ｂ点の信号レベルが〔上述のａ点の電圧＋トランジスタ４６のベース−エミッタ間電圧Ｖｂｅ〕より低いときはゲインが「１」、それより高くなると抵抗器３７、４７の抵抗比で決まる「１」より小さなゲインとなり、入出力特性は〔上述のａ点の電圧＋トランジスタ４６のベース−エミッタ間電圧Ｖｂｅ〕のポイントで折れ曲がることになる。
【００４３】
そこで図３の回路の動作を説明すると、制御端子３１に出力制御信号Ｖｃが供給されない無補正のときは、入力端子３０に供給された信号は何もせずにそのまま出力端子３８に出力される。これに対して制御端子３１に供給される出力制御信号Ｖｃの電圧が大きくなると、トランジスタ３９、４２、抵抗器４０、４１、４３、４４で構成される回路によってａ点の電圧が下がり、入出力特性は信号レベルの高いところで折れ曲がるようになる。
【００４４】
そしてさらに出力制御信号Ｖｃの電圧を大きくすると、ゲインコントロール回路３２によって信号レベルの低いところのゲインが上げられ、同時に入出力特性の折れ曲がる点の信号レベルが下がってその点より上のゲインが小さくされる。これによって、例えば図４に示すような入出力特性が形成される。
【００４５】
すなわちこの図３の回路において、出力制御信号Ｖｃの電圧を大きくして行くと、入出力間の補正曲線が、例えば図４中の矢印のように、略直線から、中間信号レベルが増強されるように制御される。またこのとき、ゲインコントロール回路３２と折れ線回路の連係によって、例えば出力レベルの最大値Ｖｏｍａｘは一定に保持することができる。
【００４６】
従ってこの回路において、例えば出力レベルの最大値Ｖｏｍａｘを一定にしたままで、ゲインと連動させて折れ曲がり点を動かすことができ、中間輝度をダイナミックに変化させ、且つ白ピークの階調も潰すことのない補正を行うことができるものである。またこの回路においては、特別な集積回路や複雑な回路等を設ける必要がなく、簡単な構成で低価格で回路を実現できるものである。
【００４７】
さらに図５には、本発明を適用した表示装置の他の実施形態の構成をブロック図で示す。
【００４８】
図５において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００４９】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００５０】
さらにこのダイナミックガンマ回路５からの補正された輝度信号（Ｙ）と、上述の切り換えスイッチ３Ｒ、３Ｂからの２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００５１】
さらに、ダイナミックガンマ回路５からの輝度信号（Ｙ）が任意の基準レベルと比較される比較回路９に供給されて、基準レベルより高いとき“０”低いとき“１”となる方形波信号に変換される。この方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５に供給される。
【００５２】
こうしてこの装置においては、ダイナミックガンマ回路５から出力される輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５に供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。
【００５３】
従ってこの装置において、表示される映像信号の平均輝度レベルを測定する測定手段と、この測定手段からの出力制御信号により制御されるガンマ補正手段とを備えたことにより、表示される映像信号の平均輝度レベルに応じてガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【００５４】
また図６には、本発明を適用した表示装置のさらに他の実施形態の構成をブロック図で示す。
【００５５】
図６において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００５６】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００５７】
さらにこのダイナミックガンマ回路５からの補正された輝度信号（Ｙ）と、上述の切り換えスイッチ３Ｒ、３Ｂからの２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００５８】
また、上述の変換回路６で変換された３原色信号（Ｒ／Ｇ／Ｂ）がアナログ輝度信号生成回路１２Ａに供給される。この輝度信号生成回路１２Ａでは、３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ）が生成される。そしてこの生成された輝度信号（Ｙ）が任意の基準レベルと比較される比較回路９に供給されて、基準レベルより高いとき“０”低いとき“１”となる方形波信号に変換される。
【００５９】
さらにこの方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５に供給される。
【００６０】
こうしてこの装置においては、変換回路６で変換された３原色信号（Ｒ／Ｇ／Ｂ）から輝度信号（Ｙ）が形成され、この輝度信号（Ｙ）の平均輝度レベルが比較回路９〜制御回路１１の測定手段で測定される。さらにこの測定手段で測定された平均輝度レベルに応じた制御回路１１からの出力制御信号Ｖｃが、ダイナミックガンマ回路５に供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。
【００６１】
従ってこの装置において、表示される映像信号の平均輝度レベルを測定する測定手段と、この測定手段からの出力制御信号により制御されるガンマ補正手段とを備えたことにより、表示される映像信号の平均輝度レベルに応じてガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【００６２】
さらに図７には、本発明を適用した表示装置のさらに他の実施形態の構成をブロック図で示す。
【００６３】
図７において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００６４】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００６５】
さらにこのダイナミックガンマ回路５からの補正された輝度信号（Ｙ）と、上述の切り換えスイッチ３Ｒ、３Ｂからの２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００６６】
また、上述のＡ／Ｄ変換回路７Ｒ、７Ｇ、７Ｂでデジタル変換された３原色信号（Ｒ／Ｇ／Ｂ）がデジタル輝度信号生成回路１２Ｄに供給される。ここでＡ／Ｄ変換回路７Ｒ、７Ｇ、７Ｂから取り出される３原色信号（Ｒ／Ｇ／Ｂ）は、例えばサンプリング周波数を３０ＭＨｚとして、量子化ビット数８ビット（量子化値０〜２５５）のデジタル信号である。そこで上述の輝度信号生成回路１２Ｄでは、デジタル値の３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ：デジタル値）が生成される。
【００６７】
さらにこの生成された輝度信号（Ｙ：デジタル値）が、任意の基準レベル、例えば量子化値１００と比較される比較回路９に供給されて、この値より高いとき“０”低いとき“１”となる方形波信号に変換される。そしてこの方形波信号が積分回路１０で積分されて、上述の輝度信号（Ｙ）の平均輝度レベルを示す信号（アナログ値）が形成される。なおこの積分回路１０は例えば５Ｖ系の回路である。そこで上述の形成された信号は、例えば上述のダイナミックガンマ回路５との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５に供給される。
【００６８】
こうしてこの装置においては、Ａ／Ｄ変換回路７Ｒ、７Ｇ、７Ｂでデジタル変換された３原色信号（Ｒ／Ｇ／Ｂ）から輝度信号（Ｙ：デジタル値）が形成され、この輝度信号（Ｙ）の平均輝度レベル（アナログ値）が比較回路９〜制御回路１１の測定手段で測定される。さらにこの測定手段で測定された平均輝度レベルに応じた制御回路１１からの出力制御信号Ｖｃが、ダイナミックガンマ回路５に供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。
【００６９】
従ってこの装置において、表示される映像信号の平均輝度レベルを測定する測定手段と、この測定手段からの出力制御信号により制御されるガンマ補正手段とを備えたことにより、表示される映像信号の平均輝度レベルに応じてガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【００７０】
ところで上述の装置において、２色差信号（Ｒ−Ｙ）（Ｂ−Ｙ）に対しては、これらの信号レベルは明るさではなく色飽和度に係わるので、輝度信号（Ｙ）と同じようなガンマ補正を行うことはできない。しかし例えば補正によって輝度信号（Ｙ）だけを大きくした場合には、相対的に色飽和度が下がって色が淡白になってしまうことが考えられる。そこで２色差信号（Ｒ−Ｙ）（Ｂ−Ｙ）に対しては、例えば制御信号（電圧）Ｖｃが上がると入出力特性のゲインも上がる構成のカラー利得制御回路を設けることによって、相対的に色飽和度が下がってしまう問題を解消することができる。
【００７１】
すなわち図８には、そのようなカラー利得制御回路を設けて、本発明を適用した表示装置の他の実施形態の構成をブロック図で示す。
【００７２】
図８において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００７３】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００７４】
また切り換えスイッチ３Ｒ、３Ｂからの２色差信号（Ｒ−Ｙ）（Ｂ−Ｙ）が、後述する制御回路１１からの出力制御信号Ｖｃにより制御されるカラー利得制御回路１３に供給される。ここでカラー利得制御回路１３は、例えば制御信号（電圧）Ｖｃが上がると入出力特性のゲインも上がる構成のものである。
【００７５】
さらに、これらのダイナミックガンマ回路５からの補正された輝度信号（Ｙ）と、カラー利得制御回路１３からの利得制御された２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００７６】
一方、切り換えスイッチ３Ｙからの輝度信号（Ｙ）が任意の基準レベルと比較される比較回路９に供給されて、基準レベルより高いとき“０”低いとき“１”となる方形波信号に変換される。この方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５及びカラー利得制御回路１３との電気的インターフェースのために、例えば５Ｖから１２Ｖのように電圧変換を行う制御回路１１に供給される。そしてこの制御回路１１で電圧変換された出力制御信号Ｖｃが、上述のダイナミックガンマ回路５及びカラー利得制御回路１３に供給される。
【００７７】
こうしてこの装置においては、例えば分離回路２、若しくはコンポーネント入力端子４から切り換えスイッチ３Ｙを通じて供給される輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５及びカラー利得制御回路１３に供給される。
【００７８】
そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードフォワード制御される。また、例えば平均輝度レベルが大きいときはカラー利得を上げ、平均輝度レベルが小さくなるとカラー利得を下げるように、カラー利得制御回路１３がフィードフォワード制御される。
【００７９】
従ってこの装置において、表示される映像信号の平均輝度レベルを測定する測定手段と、この測定手段からの出力制御信号により制御されるガンマ補正手段及びカラー利得制御回路とを備えたことにより、表示される映像信号の平均輝度レベルに応じてガンマ補正曲線及びカラー利得が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【００８０】
さらに図９には、カラー利得制御回路を設けて、本発明を適用した表示装置の他の実施形態の構成をブロック図で示す。
【００８１】
図９において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００８２】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００８３】
また切り換えスイッチ３Ｒ、３Ｂからの２色差信号（Ｒ−Ｙ）（Ｂ−Ｙ）が、後述する制御回路１１からの出力制御信号Ｖｃにより制御されるカラー利得制御回路１３に供給される。ここでカラー利得制御回路１３は、例えば制御信号（電圧）Ｖｃが上がると入出力特性のゲインも上がる構成のものである。
【００８４】
さらに、これらのダイナミックガンマ回路５からの補正された輝度信号（Ｙ）と、カラー利得制御回路１３からの利得制御された２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００８５】
さらに、ダイナミックガンマ回路５からの輝度信号（Ｙ）が任意の基準レベルと比較される比較回路９に供給されて、基準レベルより高いとき“０”低いとき“１”となる方形波信号に変換される。この方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５及びカラー利得制御回路１３との電気的インターフェースのために、例えば５Ｖから１２Ｖのように電圧変換を行う制御回路１１に供給される。そしてこの制御回路１１で電圧変換された出力制御信号Ｖｃが、上述のダイナミックガンマ回路５及びカラー利得制御回路１３に供給される。
【００８６】
こうしてこの装置においては、ダイナミックガンマ回路５から出力される輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５及びカラー利得制御回路１３に供給される。
【００８７】
そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。また、例えば平均輝度レベルが大きいときはカラー利得を上げ、平均輝度レベルが小さくなるとカラー利得を下げるように、カラー利得制御回路１３がフィードバック制御される。
【００８８】
従ってこの装置において、表示される映像信号の平均輝度レベルを測定する測定手段と、この測定手段からの出力制御信号により制御されるガンマ補正手段及びカラー利得制御回路とを備えたことにより、表示される映像信号の平均輝度レベルに応じてガンマ補正曲線及びカラー利得が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【００８９】
また図１０には、カラー利得制御回路を設けて、本発明を適用した表示装置のさらに他の実施形態の構成をブロック図で示す。
【００９０】
図１０において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【００９１】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【００９２】
また切り換えスイッチ３Ｒ、３Ｂからの２色差信号（Ｒ−Ｙ）（Ｂ−Ｙ）が、後述する制御回路１１からの出力制御信号Ｖｃにより制御されるカラー利得制御回路１３に供給される。ここでカラー利得制御回路１３は、例えば制御信号（電圧）Ｖｃが上がると入出力特性のゲインも上がる構成のものである。
【００９３】
さらに、これらのダイナミックガンマ回路５からの補正された輝度信号（Ｙ）と、カラー利得制御回路１３からの利得制御された２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【００９４】
また、上述の変換回路６で変換された３原色信号（Ｒ／Ｇ／Ｂ）がアナログ輝度信号生成回路１２Ａに供給される。この輝度信号生成回路１２Ａでは、３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ）が生成される。そしてこの生成された輝度信号（Ｙ）が任意の基準レベルと比較される比較回路９に供給されて、基準レベルより高いとき“０”低いとき“１”となる方形波信号に変換される。
【００９５】
さらにこの方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５及びカラー利得制御回路１３との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５及びカラー利得制御回路１３に供給される。
【００９６】
こうしてこの装置においては、変換回路６で変換された３原色信号（Ｒ／Ｇ／Ｂ）から輝度信号（Ｙ）が形成され、この輝度信号（Ｙ）の平均輝度レベルが比較回路９〜制御回路１１の測定手段で測定される。さらにこの測定手段で測定された平均輝度レベルに応じた制御回路１１からの出力制御信号Ｖｃが、ダイナミックガンマ回路５及びカラー利得制御回路１３に供給される。
【００９７】
そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。また、例えば平均輝度レベルが大きいときはカラー利得を上げ、平均輝度レベルが小さくなるとカラー利得を下げるように、カラー利得制御回路１３がフィードバック制御される。
【００９８】
従ってこの装置において、表示される映像信号の平均輝度レベルを測定する測定手段と、この測定手段からの出力制御信号により制御されるガンマ補正手段及びカラー利得制御回路とを備えたことにより、表示される映像信号の平均輝度レベルに応じてガンマ補正曲線及びカラー利得が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【００９９】
さらに図１１には、カラー利得制御回路を設けて、本発明を適用した表示装置のさらに他の実施形態の構成をブロック図で示す。
【０１００】
図１１において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【０１０１】
そしてこの切り換えスイッチ３Ｙからの輝度信号（Ｙ）が、後述する制御回路１１からの出力制御信号Ｖｃにより制御されるガンマ補正曲線を有するガンマ補正手段（ダイナミックガンマ回路）５に供給される。ここでダイナミックガンマ回路５は、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【０１０２】
また切り換えスイッチ３Ｒ、３Ｂからの２色差信号（Ｒ−Ｙ）（Ｂ−Ｙ）が、後述する制御回路１１からの出力制御信号Ｖｃにより制御されるカラー利得制御回路１３に供給される。ここでカラー利得制御回路１３は、例えば制御信号（電圧）Ｖｃが上がると入出力特性のゲインも上がる構成のものである。
【０１０３】
さらに、これらのダイナミックガンマ回路５からの補正された輝度信号（Ｙ）と、カラー利得制御回路１３からの利得制御された２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）がそれぞれＡ／Ｄ変換回路７Ｒ、７Ｇ、７Ｂに供給され、デジタル変換された３原色信号（Ｒ／Ｇ／Ｂ）が、例えばプラズマディスプレイや液晶ディスプレイのような表示手段８に供給される。
【０１０４】
また、上述のＡ／Ｄ変換回路７Ｒ、７Ｇ、７Ｂでデジタル変換された３原色信号（Ｒ／Ｇ／Ｂ）がデジタル輝度信号生成回路１２Ｄに供給される。ここでＡ／Ｄ変換回路７Ｒ、７Ｇ、７Ｂから取り出される３原色信号（Ｒ／Ｇ／Ｂ）は、例えばサンプリング周波数を３０ＭＨｚとして、量子化ビット数８ビット（量子化値０〜２５５）のデジタル信号である。そこで上述の輝度信号生成回路１２Ｄでは、デジタル値の３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ：デジタル値）が生成される。
【０１０５】
さらにこの生成された輝度信号（Ｙ：デジタル値）が、任意の基準レベル、例えば量子化値１００と比較される比較回路９に供給されて、この値より高いとき“０”低いとき“１”となる方形波信号に変換される。そしてこの方形波信号が積分回路１０で積分されて、上述の輝度信号（Ｙ）の平均輝度レベルを示す信号（アナログ値）が形成される。なおこの積分回路１０は例えば５Ｖ系の回路である。そこで上述の形成された信号は、例えば上述のダイナミックガンマ回路５及びカラー利得制御回路１３との電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５及びカラー利得制御回路１３に供給される。
【０１０６】
こうしてこの装置においては、Ａ／Ｄ変換回路７Ｒ、７Ｇ、７Ｂでデジタル変換された３原色信号（Ｒ／Ｇ／Ｂ）から輝度信号（Ｙ：デジタル値）が形成され、この輝度信号（Ｙ）の平均輝度レベル（アナログ値）が比較回路９〜制御回路１１の測定手段で測定される。さらにこの測定手段で測定された平均輝度レベルに応じた制御回路１１からの出力制御信号Ｖｃが、ダイナミックガンマ回路５及びカラー利得制御回路１３に供給される。
【０１０７】
そして例えば平均輝度レベルが大きいときは入出力間のガンマ補正曲線が略直線とされ、平均輝度レベルが小さくなると例えば中間信号レベルが増強されるように、上述のダイナミックガンマ回路５のガンマ補正曲線がフィードバック制御される。また、例えば平均輝度レベルが大きいときはカラー利得を上げ、平均輝度レベルが小さくなるとカラー利得を下げるように、カラー利得制御回路１３がフィードバック制御される。
【０１０８】
従ってこの装置において、表示される映像信号の平均輝度レベルを測定する測定手段と、この測定手段からの出力制御信号により制御されるガンマ補正手段及びカラー利得制御回路とを備えたことにより、表示される映像信号の平均輝度レベルに応じてガンマ補正曲線及びカラー利得が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【０１０９】
さらに上述の装置において、より正確な補正が必要とされる場合には、例えば赤（Ｒ）、緑（Ｇ）、青（Ｂ）の３原色信号について補正を行うことが考えられる。この場合に例えば赤（Ｒ）、緑（Ｇ）、青（Ｂ）の３原色信号については、上述の輝度信号（Ｙ）と同様のガンマ補正を行うことができる。
【０１１０】
すなわち図１２には、例えば赤（Ｒ）、緑（Ｇ）、青（Ｂ）の３原色信号に対してそれぞれガンマ補正を行う場合の、本発明を適用した表示装置の他の実施形態の構成をブロック図で示す。
【０１１１】
図１２において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【０１１２】
これらの切り換えスイッチ３Ｙ、３Ｒ、３Ｂからの輝度信号（Ｙ）と２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）が、それぞれ後述する制御回路１１からの出力制御信号Ｖｃにより制御されるガンマ補正曲線を有するガンマ補正手段（ダイナミックガンマ回路）５Ｒ、５Ｇ、５Ｂに供給される。
【０１１３】
ここでダイナミックガンマ回路５Ｒ、５Ｇ、５Ｂは、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。そしてこれらのダイナミックガンマ回路５Ｒ、５Ｇ、５Ｂからの３原色信号（Ｒ／Ｇ／Ｂ）が、それぞれＡ／Ｄ変換回路７Ｒ、７Ｇ、７Ｂに供給される。さらにデジタル変換された３原色信号（Ｒ／Ｇ／Ｂ）が、例えばプラズマディスプレイや液晶ディスプレイのような表示手段８に供給される。
【０１１４】
一方、切り換えスイッチ３Ｙからの輝度信号（Ｙ）が任意の基準レベルと比較される比較回路９に供給されて、基準レベルより高いとき“０”低いとき“１”となる方形波信号に変換される。この方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５Ｒ、５Ｇ、５Ｂとの電気的インターフェースのために、例えば５Ｖから１２Ｖのように電圧変換を行う制御回路１１に供給される。そしてこの制御回路１１で電圧変換された出力制御信号Ｖｃが、上述のダイナミックガンマ回路５Ｒ、５Ｇ、５Ｂに供給される。
【０１１５】
こうしてこの装置においては、例えば分離回路２、若しくはコンポーネント入力端子４から切り換えスイッチ３Ｙを通じて供給される輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５Ｒ、５Ｇ、５Ｂに供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５Ｒ、５Ｇ、５Ｂのガンマ補正曲線がフィードフォワード制御される。
【０１１６】
従ってこの装置において、表示される映像信号の平均輝度レベルを測定する測定手段と、この測定手段からの出力制御信号により制御される３原色信号ごとのガンマ補正手段とを備えたことにより、表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、より正確な補正が行われるものである。
【０１１７】
さらに図１３には、例えば赤（Ｒ）、緑（Ｇ）、青（Ｂ）の３原色信号に対してガンマ補正を行う場合の、本発明を適用した表示装置の他の実施形態の構成をブロック図で示す。なお図１３においては、紙面の都合で、変換回路６より前段の回路を省略するが、この部分の構成は上述の図１２と同様である。
【０１１８】
そこで図１３においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１１９】
そしてこの切り換えスイッチ１４Ｒ、１４Ｇ、１４Ｂからの３原色信号（Ｒ／Ｇ／Ｂ）が、後述する制御回路１１からの出力制御信号Ｖｃにより制御されるガンマ補正曲線を有するガンマ補正手段（ダイナミックガンマ回路）５Ｒ、５Ｇ、５Ｂに供給される。ここでダイナミックガンマ回路５Ｒ、５Ｇ、５Ｂは、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【０１２０】
さらに、これらのダイナミックガンマ回路５Ｒ、５Ｇ、５Ｂからの補正された３原色信号（Ｒ／Ｇ／Ｂ）が、それぞれＡ／Ｄ変換回路７Ｒ、７Ｇ、７Ｂに供給される。そしてデジタル変換された３原色信号（Ｒ／Ｇ／Ｂ）が、例えばプラズマディスプレイや液晶ディスプレイのような表示手段８に供給される。
【０１２１】
また、上述の切り換えスイッチ１４Ｒ、１４Ｇ、１４Ｂからの３原色信号（Ｒ／Ｇ／Ｂ）がアナログ輝度信号生成回路１２Ａに供給される。この輝度信号生成回路１２Ａでは、３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ）が生成される。そしてこの生成された輝度信号（Ｙ）が任意の基準レベルと比較される比較回路９に供給されて、基準レベルより高いとき“０”低いとき“１”となる方形波信号に変換される。
【０１２２】
さらにこの方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５Ｒ、５Ｇ、５Ｂとの電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５Ｒ、５Ｇ、５Ｂに供給される。
【０１２３】
こうしてこの装置においては、切り換えスイッチ１４Ｒ、１４Ｇ、１４Ｂからの３原色信号（Ｒ／Ｇ／Ｂ）から輝度信号（Ｙ）が形成され、この輝度信号（Ｙ）の平均輝度レベルが、比較回路９〜制御回路１１の測定手段で測定される。さらにこの測定手段で測定された平均輝度レベルに応じた制御回路１１からの出力制御信号Ｖｃが、ダイナミックガンマ回路５Ｒ、５Ｇ、５Ｂに供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５Ｒ、５Ｇ、５Ｂのガンマ補正曲線がフィードフォワード制御される。
【０１２４】
従ってこの装置において、表示される映像信号の平均輝度レベルを測定する測定手段と、この測定手段からの出力制御信号により制御される３原色信号ごとのガンマ補正手段とを備えたことにより、表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１２５】
また図１４には、例えば赤（Ｒ）、緑（Ｇ）、青（Ｂ）の３原色信号に対してガンマ補正を行う場合の、本発明を適用した表示装置のさらに他の実施形態の構成をブロック図で示す。なお図１４においても、紙面の都合で、変換回路６より前段の回路を省略するが、この部分の構成は上述の図１２と同様である。
【０１２６】
そこで図１４においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１２７】
そしてこの切り換えスイッチ１４Ｒ、１４Ｇ、１４Ｂからの３原色信号（Ｒ／Ｇ／Ｂ）が、後述する制御回路１１からの出力制御信号Ｖｃにより制御されるガンマ補正曲線を有するガンマ補正手段（ダイナミックガンマ回路）５Ｒ、５Ｇ、５Ｂに供給される。ここでダイナミックガンマ回路５Ｒ、５Ｇ、５Ｂは、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【０１２８】
さらに、これらのダイナミックガンマ回路５Ｒ、５Ｇ、５Ｂからの補正された３原色信号（Ｒ／Ｇ／Ｂ）が、それぞれＡ／Ｄ変換回路７Ｒ、７Ｇ、７Ｂに供給される。そしてデジタル変換された３原色信号（Ｒ／Ｇ／Ｂ）が、例えばプラズマディスプレイや液晶ディスプレイのような表示手段８に供給される。
【０１２９】
また、上述のダイナミックガンマ回路５Ｒ、５Ｇ、５Ｂからの補正された３原色信号（Ｒ／Ｇ／Ｂ）がアナログ輝度信号生成回路１２Ａに供給される。この輝度信号生成回路１２Ａでは、３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ）が生成される。そしてこの生成された輝度信号（Ｙ）が任意の基準レベルと比較される比較回路９に供給されて、基準レベルより高いとき“０”低いとき“１”となる方形波信号に変換される。
【０１３０】
さらにこの方形波信号が積分回路１０で積分されて、上述の輝度信号（Ｙ）の平均輝度レベルを示す信号が形成される。なおこの積分回路１０は例えば５Ｖ系の回路である。そこで上述の形成された信号は、例えば上述のダイナミックガンマ回路５Ｒ、５Ｇ、５Ｂとの電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５Ｒ、５Ｇ、５Ｂに供給される。
【０１３１】
こうしてこの装置においては、ダイナミックガンマ回路５Ｒ、５Ｇ、５Ｂからの補正された３原色信号（Ｒ／Ｇ／Ｂ）から輝度信号（Ｙ）が形成され、この輝度信号（Ｙ）の平均輝度レベルが比較回路９〜制御回路１１の測定手段で測定される。さらにこの測定手段で測定された平均輝度レベルに応じた制御回路１１からの出力制御信号Ｖｃが、ダイナミックガンマ回路５Ｒ、５Ｇ、５Ｂに供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５Ｒ、５Ｇ、５Ｂのガンマ補正曲線がフィードバック制御される。
【０１３２】
従ってこの装置において、表示される映像信号の平均輝度レベルを測定する測定手段と、この測定手段からの出力制御信号により制御される３原色信号ごとのガンマ補正手段とを備えたことにより、表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１３３】
さらに図１５には、例えば赤（Ｒ）、緑（Ｇ）、青（Ｂ）の３原色信号に対してガンマ補正を行う場合の、本発明を適用した表示装置のさらに他の実施形態の構成をブロック図で示す。なお図１５においても、紙面の都合で、変換回路６より前段の回路を省略するが、この部分の構成は上述の図１２と同様である。
【０１３４】
そこで図１５においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１３５】
そしてこの切り換えスイッチ１４Ｒ、１４Ｇ、１４Ｂからの３原色信号（Ｒ／Ｇ／Ｂ）が、後述する制御回路１１からの出力制御信号Ｖｃにより制御されるガンマ補正曲線を有するガンマ補正手段（ダイナミックガンマ回路）５Ｒ、５Ｇ、５Ｂに供給される。ここでダイナミックガンマ回路５Ｒ、５Ｇ、５Ｂは、例えばその入出力間のガンマ補正の特性曲線が、後述する制御回路１１からの出力制御信号Ｖｃによって例えば図２に示すように制御される。すなわち出力制御信号Ｖｃの大きさに応じて、図中の矢印のように入出力間の補正曲線が、略直線から、中間信号レベルが増強されるように制御されるものである。
【０１３６】
さらに、これらのダイナミックガンマ回路５Ｒ、５Ｇ、５Ｂからの補正された３原色信号（Ｒ／Ｇ／Ｂ）が、それぞれＡ／Ｄ変換回路７Ｒ、７Ｇ、７Ｂに供給される。そしてデジタル変換された３原色信号（Ｒ／Ｇ／Ｂ）が、例えばプラズマディスプレイや液晶ディスプレイのような表示手段８に供給される。
【０１３７】
また、上述のＡ／Ｄ変換回路７Ｒ、７Ｇ、７Ｂでデジタル変換された３原色信号（Ｒ／Ｇ／Ｂ）がデジタル輝度信号生成回路１２Ｄに供給される。ここでＡ／Ｄ変換回路７Ｒ、７Ｇ、７Ｂから取り出される３原色信号（Ｒ／Ｇ／Ｂ）は、例えばサンプリング周波数を３０ＭＨｚとして、量子化ビット数８ビット（量子化値０〜２５５）のデジタル信号である。そこで上述の輝度信号生成回路１２Ｄでは、デジタル値の３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ：デジタル値）が生成される。
【０１３８】
さらにこの生成された輝度信号（Ｙ：デジタル値）が、任意の基準レベル、例えば量子化値１００と比較される比較回路９に供給されて、この値より高いとき“０”低いとき“１”となる方形波信号に変換される。そしてこの方形波信号が積分回路１０で積分されて、上述の輝度信号（Ｙ）の平均輝度レベルを示す信号（アナログ値）が形成される。なおこの積分回路１０は例えば５Ｖ系の回路である。そこで上述の形成された信号は、例えば上述のダイナミックガンマ回路５Ｒ、５Ｇ、５Ｂとの電気的インターフェースのために、例えば５Ｖから１２Ｖのように電圧変換を行う制御回路１１に供給される。そしてこの制御回路１１で電圧変換された出力制御信号Ｖｃがダイナミックガンマ回路５Ｒ、５Ｇ、５Ｂに供給される。
【０１３９】
こうしてこの装置においては、Ａ／Ｄ変換回路７Ｒ、７Ｇ、７Ｂでデジタル変換された３原色信号（Ｒ／Ｇ／Ｂ）から輝度信号（Ｙ：デジタル値）が形成され、この輝度信号（Ｙ）の平均輝度レベル（アナログ値）が比較回路９〜制御回路１１の測定手段で測定される。さらにこの測定手段で測定された平均輝度レベルに応じた制御回路１１からの出力制御信号Ｖｃが、ダイナミックガンマ回路５Ｒ、５Ｇ、５Ｂに供給される。そして例えば平均輝度レベルが大きいときは入出力間のガンマ補正曲線が略直線とされ、平均輝度レベルが小さくなると例えば中間信号レベルが増強されるように、上述のダイナミックガンマ回路５Ｒ、５Ｇ、５Ｂのガンマ補正曲線がフィードバック制御される。
【０１４０】
従ってこの装置において、表示される映像信号の平均輝度レベルを測定する測定手段と、この測定手段からの出力制御信号により制御される３原色信号ごとのガンマ補正手段とを備えたことにより、表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１４１】
さらに上述の装置において、それぞれの信号の特性等に合わせたより複雑な補正が必要とされる場合には、例えば赤（Ｒ）、緑（Ｇ）、青（Ｂ）のデジタル変換後の３原色信号について補正を行うことが考えられる。この場合に、例えば赤（Ｒ）、緑（Ｇ）、青（Ｂ）の３原色信号のガンマ補正を行う場合については、上述の輝度信号（Ｙ）と同様のガンマ補正を行うことができる。また、信号の補正手段としては、読み出し専用メモリ（ＲＯＭ＝Read Only Memory）や、いわゆるデジタル信号処理装置（ＤＳＰ＝Digital Signal Processor）を用いて行うことができる。
【０１４２】
すなわち図１６には、例えば赤（Ｒ）、緑（Ｇ）、青（Ｂ）のデジタル変換後の３原色信号に対してそれぞれ補正を行う場合の、本発明を適用した表示装置の他の実施形態の構成をブロック図で示す。
【０１４３】
図１６において、例えば複合映像信号（映像信号）の供給される入力端子１が設けられる。この入力端子１からの複合映像信号が、例えば複合映像信号を輝度信号（Ｙ）と２色差信号（Ｒ−Ｙ）（Ｂ−Ｙ）とに分離する分離回路２に供給される。さらにこの分離回路２で分離された輝度信号（Ｙ）と２色差信号（Ｒ−Ｙ）（Ｂ−Ｙ）が切り換えスイッチ３Ｙ、３Ｒ、３Ｂに供給されて、例えば輝度信号（Ｙ）と２色差信号（Ｒ−Ｙ）（Ｂ−Ｙ）がそれぞれ分離して供給される入力端子（コンポーネント入力端子）４からの信号とそれぞれ切り換えられる。
【０１４４】
これらの切り換えスイッチ３Ｙ、３Ｒ、３Ｂからの輝度信号（Ｙ）と２色差信号（Ｒ−Ｙ）（Ｂ−Ｙ）がそれぞれ変換回路６に供給されて、例えば赤（Ｒ）、緑（Ｇ）、青（Ｂ）の３原色信号に変換される。そしてこの変換回路６で変換された３原色信号（Ｒ／Ｇ／Ｂ）が、それぞれＡ／Ｄ変換回路７Ｒ、７Ｇ、７Ｂに供給される。さらにデジタル変換された３原色信号（Ｒ／Ｇ／Ｂ）が、それぞれ後述するデジタル制御回路１７からの出力制御デジタル信号により制御されるガンマ補正曲線等を有する補正手段（デジタル信号処理装置＝ＤＳＰ）１６Ｒ、１６Ｇ、１６Ｂに供給される。
【０１４５】
ここでデジタル信号処理装置（ＤＳＰ）１６Ｒ、１６Ｇ、１６Ｂは、例えばその入出力間のガンマ補正の特性曲線が、後述するデジタル制御回路１７からの出力制御デジタル信号によって例えば図２に示すように制御される。すなわち出力制御デジタル信号の大きさに応じて、図中の矢印のように入出力間の補正曲線が、略直線から、中間信号レベルが増強されるように制御されるものである。そしてこれらのデジタル信号処理装置（ＤＳＰ）１６Ｒ、１６Ｇ、１６Ｂからの３原色信号（Ｒ／Ｇ／Ｂ）が、例えばプラズマディスプレイや液晶ディスプレイのような表示手段８に供給される。
【０１４６】
一方、切り換えスイッチ３Ｙからの輝度信号（Ｙ）が任意の基準レベルと比較される比較回路９に供給されて、基準レベルより高いとき“０”低いとき“１”となる方形波信号に変換される。この方形波信号が積分回路１０で積分されて、上述の輝度信号（Ｙ）の平均輝度レベルを示す信号が形成される。そしてこの積分回路１０からの平均輝度レベルを示す信号がデジタル制御回路１７に供給されて、上述のデジタル信号処理装置（ＤＳＰ）１６Ｒ、１６Ｇ、１６Ｂを制御するための出力制御デジタル信号が形成される。さらにこのデジタル制御回路１７で形成された出力制御デジタル信号が、デジタル信号処理装置（ＤＳＰ）１６Ｒ、１６Ｇ、１６Ｂに供給される。
【０１４７】
こうしてこの装置においては、例えば分離回路２、若しくはコンポーネント入力端子４から切り換えスイッチ３Ｙを通じて供給される輝度信号（Ｙ）の平均輝度レベルが、比較回路９、積分回路１０の測定手段で測定される。さらにこの測定手段で測定された平均輝度レベルに応じた出力制御デジタル信号がデジタル制御回路１７で形成されて、デジタル信号処理装置（ＤＳＰ）１６Ｒ、１６Ｇ、１６Ｂに供給される。そして例えば平均輝度レベルが大きいときは入出力間のガンマ補正曲線が略直線とされ、平均輝度レベルが小さくなると例えば中間信号レベルが増強されるように、上述のデジタル信号処理装置（ＤＳＰ）１６Ｒ、１６Ｇ、１６Ｂのガンマ補正曲線等がフィードフォワード制御される。
【０１４８】
従ってこの装置において、表示される映像信号の平均輝度レベルを測定する測定手段と、この測定手段からの出力制御信号により制御される３原色信号ごとの補正手段とを備えたことにより、例えば表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子にも対応させることができるものである。
【０１４９】
さらに図１７には、例えば赤（Ｒ）、緑（Ｇ）、青（Ｂ）のデジタル変換後の３原色信号に対してそれぞれ補正を行う場合の、本発明を適用した表示装置の他の実施形態の構成をブロック図で示す。なお図１７においては、紙面の都合で、変換回路６より前段の回路を省略するが、この部分の構成は上述の図１６と同様である。
【０１５０】
そこで図１７においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１５１】
そしてこの切り換えスイッチ１４Ｒ、１４Ｇ、１４Ｂからの３原色信号（Ｒ／Ｇ／Ｂ）が、それぞれＡ／Ｄ変換回路７Ｒ、７Ｇ、７Ｂに供給される。さらにデジタル変換された３原色信号（Ｒ／Ｇ／Ｂ）が、それぞれ後述するデジタル制御回路１７からの出力制御デジタル信号により制御されるガンマ補正曲線等を有する補正手段（デジタル信号処理装置＝ＤＳＰ）１６Ｒ、１６Ｇ、１６Ｂに供給される。
【０１５２】
ここでデジタル信号処理装置（ＤＳＰ）１６Ｒ、１６Ｇ、１６Ｂは、例えばその入出力間のガンマ補正の特性曲線が、後述するデジタル制御回路１７からの出力制御デジタル信号によって例えば図２に示すように制御される。すなわち出力制御デジタル信号の大きさに応じて、図中の矢印のように入出力間の補正曲線が、略直線から、中間信号レベルが増強されるように制御されるものである。そしてこれらのデジタル信号処理装置（ＤＳＰ）１６Ｒ、１６Ｇ、１６Ｂからの３原色信号（Ｒ／Ｇ／Ｂ）が、例えばプラズマディスプレイや液晶ディスプレイのような表示手段８に供給される。
【０１５３】
また、上述の切り換えスイッチ１４Ｒ、１４Ｇ、１４Ｂからの３原色信号（Ｒ／Ｇ／Ｂ）がアナログ輝度信号生成回路１２Ａに供給される。この輝度信号生成回路１２Ａでは、３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ）が生成される。そしてこの生成された輝度信号（Ｙ）が任意の基準レベルと比較される比較回路９に供給されて、基準レベルより高いとき“０”低いとき“１”となる方形波信号に変換される。
【０１５４】
さらにこの方形波信号が積分回路１０で積分されて、上述の輝度信号（Ｙ）の平均輝度レベルを示す信号が形成される。そしてこの積分回路１０からの平均輝度レベルを示す信号がデジタル制御回路１７に供給されて、上述のデジタル信号処理装置（ＤＳＰ）１６Ｒ、１６Ｇ、１６Ｂを制御するための出力制御デジタル信号が形成される。さらにこのデジタル制御回路１７で形成された出力制御デジタル信号が、デジタル信号処理装置（ＤＳＰ）１６Ｒ、１６Ｇ、１６Ｂに供給される。
【０１５５】
こうしてこの装置においては、切り換えスイッチ１４Ｒ、１４Ｇ、１４Ｂからの３原色信号（Ｒ／Ｇ／Ｂ）から輝度信号（Ｙ）が形成され、この輝度信号（Ｙ）の平均輝度レベルが、比較回路９、積分回路１０の測定手段で測定される。さらにこの測定手段で測定された平均輝度レベルに応じた出力制御デジタル信号がデジタル制御回路１７で形成されて、デジタル信号処理装置（ＤＳＰ）１６Ｒ、１６Ｇ、１６Ｂに供給される。そして例えば平均輝度レベルが大きいときは入出力間のガンマ補正曲線が略直線とされ、平均輝度レベルが小さくなると例えば中間信号レベルが増強されるように、上述のデジタル信号処理装置（ＤＳＰ）１６Ｒ、１６Ｇ、１６Ｂのガンマ補正曲線等がフィードフォワード制御される。
【０１５６】
従ってこの装置において、表示される映像信号の平均輝度レベルを測定する測定手段と、この測定手段からの出力制御信号により制御される３原色信号ごとの補正手段とを備えたことにより、例えば表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子にも対応させることができるものである。
【０１５７】
また図１８には、例えば赤（Ｒ）、緑（Ｇ）、青（Ｂ）のデジタル変換後の３原色信号に対してそれぞれ補正を行う場合の、本発明を適用した表示装置のさらに他の実施形態の構成をブロック図で示す。なお図１８においても、紙面の都合で、変換回路６より前段の回路を省略するが、この部分の構成は上述の図１６と同様である。
【０１５８】
そこで図１８においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１５９】
そしてこの切り換えスイッチ１４Ｒ、１４Ｇ、１４Ｂからの３原色信号（Ｒ／Ｇ／Ｂ）が、それぞれＡ／Ｄ変換回路７Ｒ、７Ｇ、７Ｂに供給される。さらにこのＡ／Ｄ変換回路７Ｒ、７Ｇ、７Ｂでデジタル変換された３原色信号（Ｒ／Ｇ／Ｂ）が切り換えスイッチ１８Ｒ、１８Ｇ、１８Ｂに供給されて、例えばデジタル変換された３原色信号（Ｒ／Ｇ／Ｂ）がそれぞれ独立して供給されるＲＧＢデジタル入力端子１９からの信号とそれぞれ切り換えられる。またこの切り換えスイッチ１８Ｒ、１８Ｇ、１８Ｂからのデジタル３原色信号（Ｒ／Ｇ／Ｂ）が、それぞれ後述するデジタル制御回路１７からの出力制御デジタル信号により制御されるガンマ補正曲線等を有する補正手段（デジタル信号処理装置＝ＤＳＰ）１６Ｒ、１６Ｇ、１６Ｂに供給される。
【０１６０】
ここでデジタル信号処理装置（ＤＳＰ）１６Ｒ、１６Ｇ、１６Ｂは、例えばその入出力間のガンマ補正の特性曲線が、後述するデジタル制御回路１７からの出力制御デジタル信号によって例えば図２に示すように制御される。すなわち出力制御デジタル信号の大きさに応じて、図中の矢印のように入出力間の補正曲線が、略直線から、中間信号レベルが増強されるように制御されるものである。そしてこれらのデジタル信号処理装置（ＤＳＰ）１６Ｒ、１６Ｇ、１６Ｂからの３原色信号（Ｒ／Ｇ／Ｂ）が、例えばプラズマディスプレイや液晶ディスプレイのような表示手段８に供給される。
【０１６１】
また、上述の切り換えスイッチ１８Ｒ、１８Ｇ、１８Ｂからのデジタル３原色信号（Ｒ／Ｇ／Ｂ）がデジタル輝度信号生成回路１２Ｄに供給される。ここで切り換えスイッチ１８Ｒ、１８Ｇ、１８Ｂから取り出される３原色信号（Ｒ／Ｇ／Ｂ）は、例えばサンプリング周波数を３０ＭＨｚとして、量子化ビット数８ビット（量子化値０〜２５５）のデジタル信号である。そこで上述の輝度信号生成回路１２Ｄでは、デジタル値の３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ：デジタル値）が生成される。
【０１６２】
さらにこの生成された輝度信号（Ｙ：デジタル値）が、任意の基準レベル、例えば量子化値１００と比較される比較回路９に供給されて、この値より高いとき“０”低いとき“１”となる方形波信号に変換される。そしてこの方形波信号が積分回路１０で積分されて、上述の輝度信号（Ｙ）の平均輝度レベルを示す信号が形成される。そしてこの積分回路１０からの平均輝度レベルを示す信号がデジタル制御回路１７に供給されて、上述のデジタル信号処理装置（ＤＳＰ）１６Ｒ、１６Ｇ、１６Ｂを制御するための出力制御デジタル信号が形成される。さらにこのデジタル制御回路１７で形成された出力制御デジタル信号が、デジタル信号処理装置（ＤＳＰ）１６Ｒ、１６Ｇ、１６Ｂに供給される。
【０１６３】
こうしてこの装置においては、Ａ／Ｄ変換回路７Ｒ、７Ｇ、７Ｂ、若しくはＲＧＢデジタル入力端子１９から切り換えスイッチ１８Ｒ、１８Ｇ、１８Ｂを通じて供給されるデジタル３原色信号（Ｒ／Ｇ／Ｂ）から輝度信号（Ｙ：デジタル値）が形成され、この輝度信号（Ｙ）の平均輝度レベルが比較回路９、積分回路１０の測定手段で測定される。さらにこの測定手段で測定された平均輝度レベルに応じた出力制御デジタル信号がデジタル制御回路１７で形成されて、デジタル信号処理装置（ＤＳＰ）１６Ｒ、１６Ｇ、１６Ｂに供給される。そして例えば平均輝度レベルが大きいときは入出力間のガンマ補正曲線が略直線とされ、平均輝度レベルが小さくなると例えば中間信号レベルが増強されるように、上述のデジタル信号処理装置（ＤＳＰ）１６Ｒ、１６Ｇ、１６Ｂのガンマ補正曲線等がフィードフォワード制御される。
【０１６４】
従ってこの装置において、表示される映像信号の平均輝度レベルを測定する測定手段と、この測定手段からの出力制御信号により制御される３原色信号ごとの補正手段とを備えたことにより、例えば表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子、及びデジタルＲＧＢ入力端子にも対応させることができるものである。
【０１６５】
さらに図１９には、例えば赤（Ｒ）、緑（Ｇ）、青（Ｂ）のデジタル変換後の３原色信号に対してそれぞれ補正を行う場合の、本発明を適用した表示装置のさらに他の実施形態の構成をブロック図で示す。なお図１９においても、紙面の都合で、変換回路６より前段の回路を省略するが、この部分の構成は上述の図１６と同様である。
【０１６６】
そこで図１９においては、上述の切り換えスイッチ３Ｙ、３Ｒ、３Ｂ（図示せず）からの輝度信号（Ｙ）と２色差信号（Ｒ−Ｙ）（Ｂ−Ｙ）がそれぞれ変換回路６に供給される。さらにこの変換回路６で変換された例えば赤（Ｒ）、緑（Ｇ）、青（Ｂ）の３原色信号が切り換えスイッチ１４Ｒ、１４Ｇ、１４Ｂに供給されて、例えば３原色信号（Ｒ／Ｇ／Ｂ）がそれぞれ独立して供給されるＲＧＢ入力端子１５からの信号とそれぞれ切り換えられる。
【０１６７】
そしてこの切り換えスイッチ１４Ｒ、１４Ｇ、１４Ｂからの３原色信号（Ｒ／Ｇ／Ｂ）が、それぞれＡ／Ｄ変換回路７Ｒ、７Ｇ、７Ｂに供給される。さらにこのＡ／Ｄ変換回路７Ｒ、７Ｇ、７Ｂでデジタル変換された３原色信号（Ｒ／Ｇ／Ｂ）が切り換えスイッチ１８Ｒ、１８Ｇ、１８Ｂに供給されて、例えばデジタル変換された３原色信号（Ｒ／Ｇ／Ｂ）がそれぞれ独立して供給されるＲＧＢデジタル入力端子１９からの信号とそれぞれ切り換えられる。またこの切り換えスイッチ１８Ｒ、１８Ｇ、１８Ｂからのデジタル３原色信号（Ｒ／Ｇ／Ｂ）が、それぞれ後述するデジタル制御回路１７からの出力制御デジタル信号により制御されるガンマ補正曲線等を有する補正手段（デジタル信号処理装置＝ＤＳＰ）１６Ｒ、１６Ｇ、１６Ｂに供給される。
【０１６８】
ここでデジタル信号処理装置（ＤＳＰ）１６Ｒ、１６Ｇ、１６Ｂは、例えばその入出力間のガンマ補正の特性曲線が、後述するデジタル制御回路１７からの出力制御デジタル信号によって例えば図２に示すように制御される。すなわち出力制御デジタル信号の大きさに応じて、図中の矢印のように入出力間の補正曲線が、略直線から、中間信号レベルが増強されるように制御されるものである。そしてこれらのデジタル信号処理装置（ＤＳＰ）１６Ｒ、１６Ｇ、１６Ｂからの３原色信号（Ｒ／Ｇ／Ｂ）が、例えばプラズマディスプレイや液晶ディスプレイのような表示手段８に供給される。
【０１６９】
また、上述のデジタル信号処理装置（ＤＳＰ）１６Ｒ、１６Ｇ、１６Ｂからの補正された３原色信号（Ｒ／Ｇ／Ｂ）がデジタル輝度信号生成回路１２Ｄに供給される。ここでデジタル信号処理装置（ＤＳＰ）１６Ｒ、１６Ｇ、１６Ｂから取り出される３原色信号（Ｒ／Ｇ／Ｂ）は、例えばサンプリング周波数を３０ＭＨｚとして、量子化ビット数８ビット（量子化値０〜２５５）のデジタル信号である。そこで上述の輝度信号生成回路１２Ｄでは、デジタル値の３原色信号（Ｒ／Ｇ／Ｂ）を所定の割合、例えばＮＴＳＣ方式では、Ｙ＝０．３０Ｒ＋０．５９Ｇ＋０．１１Ｂの割合で加算することで輝度信号（Ｙ：デジタル値）が生成される。
【０１７０】
さらにこの生成された輝度信号（Ｙ：デジタル値）が、任意の基準レベル、例えば量子化値１００と比較される比較回路９に供給されて、この値より高いとき“０”低いとき“１”となる方形波信号に変換される。そしてこの方形波信号が積分回路１０で積分されて、上述の輝度信号（Ｙ）の平均輝度レベルを示す信号（アナログ値）が形成される。そしてこの積分回路１０からの平均輝度レベルを示す信号がデジタル制御回路１７に供給されて、上述のデジタル信号処理装置（ＤＳＰ）１６Ｒ、１６Ｇ、１６Ｂを制御するための出力制御デジタル信号が形成される。さらにこのデジタル制御回路１７で形成された出力制御デジタル信号が、デジタル信号処理装置（ＤＳＰ）１６Ｒ、１６Ｇ、１６Ｂに供給される。
【０１７１】
こうしてこの装置においては、Ａ／Ｄ変換回路７Ｒ、７Ｇ、７Ｂ、若しくはＲＧＢデジタル入力端子１９から切り換えスイッチ１８Ｒ、１８Ｇ、１８Ｂを通じて供給されるデジタル３原色信号（Ｒ／Ｇ／Ｂ）から輝度信号（Ｙ：デジタル値）が形成され、この輝度信号（Ｙ）の平均輝度レベルが比較回路９、積分回路１０の測定手段で測定される。さらにこの測定手段で測定された平均輝度レベルに応じた出力制御デジタル信号がデジタル制御回路１７で形成されて、デジタル信号処理装置（ＤＳＰ）１６Ｒ、１６Ｇ、１６Ｂに供給される。そして例えば平均輝度レベルが大きいときは入出力間のガンマ補正曲線が略直線とされ、平均輝度レベルが小さくなると例えば中間信号レベルが増強されるように、上述のデジタル信号処理装置（ＤＳＰ）１６Ｒ、１６Ｇ、１６Ｂのガンマ補正曲線等がフィードバック制御される。
【０１７２】
従ってこの装置において、表示される映像信号の平均輝度レベルを測定する測定手段と、この測定手段からの出力制御信号により制御される３原色信号ごとのガンマ補正手段とを備えたことにより、表示される映像信号の平均輝度レベルに応じて３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子、及びデジタルＲＧＢ入力端子にも対応させることができるものである。
【０１７３】
なお、上述の装置において、外部回路の構成の中にサブコントラスト調整や、輝度レベル調整があるような場合には、それらのゲインの余裕を上述のダイナミックガンマ回路でのゲインコントロールに充当することができ、さらに簡単な構成で低価格で装置を実現することができる。
【０１７４】
また本発明は、例えば上述の説明のようなプラズマディスプレイや液晶ディスプレイの表示手段を用いる表示装置に限らず、陰極線管やその他の表示手段を用いる表示装置に適用することができるものである。
【０１７５】
さらに本発明は、上述の説明した実施の形態に限定されるものではなく、本発明の精神を逸脱することなく種々の変形が可能とされるものである。
【０１７６】
【発明の効果】
従って本願の請求項１の発明によれば、分離回路または映像信号入力端子から供給される輝度信号、あるいは変換回路または原色信号入力端子から供給される３原色信号、あるいはＡ／Ｄ変換手段またはデジタル入力端子から供給されるデジタル変換された３原色信号が入力され、入力された信号を所定のレベルと比較してそのレベルより高いとき“０”低いとき“１”となる方形波信号に変換する比較回路，この方形波信号を積分する積分回路及び積分回路からの積分値を示す信号をガンマ補正手段との電気的インターフェースのために電圧変換した出力制御信号を生成する制御回路を備える測定手段と、分離回路または映像信号入力端子から供給される輝度信号、あるいは変換回路または原色信号入力端子から供給される３原色信号のそれぞれ、あるいはＡ／Ｄ変換手段またはデジタル入力端子から供給されるデジタル変換された３原色信号のそれぞれに対して設けられており、測定手段からの出力制御信号のレベルが小さいときは略直線とされ、前記出力制御信号のレベルが大きくなるにつれて中間信号レベルを増強するように制御される制御特性のガンマ補正曲線を有するガンマ補正手段とを備えたことにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【０１７７】
これによって、従来の装置では例えば被写体輝度レベルの低いシーンでは画像が見辛くなってしまうことがあり、これに対して全体のコントラストを上げると、例えば全体が暗い被写体の中に一部分だけ明るくなっているようなシーンで、この明るい部分がいわゆる白潰れになって、この部分の階調が表現できなくなってしまうなどの弊害を生じるという問題点があったものを、本発明によればこれらの問題点を容易に解消することができるものである。
【０１７８】
また、請求項２の発明によれば、測定手段は、分離回路または映像信号入力端子から供給されるアナログ輝度信号を入力とし、アナログ輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えることによって、アナログ輝度信号に対して良好な測定を行うことができ、良好な補正を行うことができるものである。
【０１７９】
さらに請求項３の発明によれば、測定手段は、変換回路または原色信号入力端子から供給されるアナログ３原色信号を入力とし、３原色信号を所定の割合で加算してアナログ輝度信号を生成するアナログ輝度信号生成回路と、生成されたアナログ輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えることによって、アナログ３原色信号に対して良好な測定を行うことができ、良好な補正を行うことができるものである。
【０１８０】
また、請求項４の発明によれば、測定手段は、Ａ／Ｄ変換手段またはデジタル入力端子から供給されるデジタル変換された３原色信号を入力とし、デジタル変換された３原色信号を所定の割合で加算してデジタル輝度信号を生成するデジタル輝度信号生成回路と、生成されたデジタル輝度信号を所定のレベルと比較してそのレベルより高いとき“０”低いとき“１”となる方形波信号に変換する比較回路と、この方形波信号を積分する積分回路と、積分回路からの積分値を示す信号をガンマ補正手段との電気的インターフェースのために電圧変換した出力制御信号を生成する制御回路とを備えることによって、デジタル変換された３原色信号に対して良好な測定を行うことができ、良好な補正を行うことができるものである。
【０１８２】
また、請求項５の発明によれば、ガンマ補正手段は分離回路または映像信号入力端子から供給されるアナログ輝度信号に対して設けられ、測定手段からの出力制御信号は分離回路または映像信号入力端子から供給されるアナログ輝度信号に基づいて生成され、測定手段からの出力制御信号によりガンマ補正手段をフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【０１８３】
さらに請求項６の発明によれば、ガンマ補正手段は分離回路または映像信号入力端子から供給されるアナログ輝度信号に対して設けられ、測定手段からの出力制御信号はガンマ補正手段から出力されるアナログ輝度信号に基づいて生成され、測定手段からの出力制御信号によりガンマ補正手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【０１８４】
さらに請求項７の発明によれば、ガンマ補正手段は分離回路または映像信号入力端子から供給されるアナログ輝度信号に対して設けられ、測定手段からの出力制御信号は変換回路から出力されるアナログ３原色信号に基づいて生成され、測定手段からの出力制御信号によりガンマ補正手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【０１８５】
さらに請求項８の発明によれば、ガンマ補正手段は分離回路または映像信号入力端子から供給されるアナログ輝度信号に対して設けられ、測定手段からの出力制御信号はＡ／Ｄ変換手段から出力されるデジタル変換された３原色信号に基づいて生成され、測定手段からの出力制御信号によりガンマ補正手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されるものである。
【０１８６】
また、請求項９の発明によれば、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号は分離回路または映像信号入力端子から供給されるアナログ輝度信号に基づいて生成され、測定手段からの出力制御信号によりガンマ補正手段及びカラー利得制御手段をフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【０１８７】
さらに請求項１０の発明によれば、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号はガンマ補正手段から出力されるアナログ輝度信号に基づいて生成され、測定手段からの出力制御信号によりガンマ補正手段及びカラー利得制御手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【０１８８】
さらに請求項１１の発明によれば、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号は変換手段から出力されるアナログ３原色信号に基づいて生成され、測定手段からの出力制御信号によりガンマ補正手段及びカラー利得制御手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【０１８９】
さらに請求項１２の発明によれば、ガンマ補正手段は分離回路または映像信号入力端子から供給されるアナログ輝度信号に対して設けられると共に、映像信号を構成する２色差信号が入力され、供給される制御信号のレベルが上がることに応じて入出力特性のゲインが上がるカラー利得制御手段が設けられ、測定手段からの出力制御信号はＡ／Ｄ変換手段から出力されるデジタル変換された３原色信号に基づいて生成され、測定手段からの出力制御信号によりガンマ補正手段及びカラー利得制御手段をフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またこの輝度レベルの変化に応じてカラー利得が良好に制御されるものである。
【０１９０】
また、請求項１３の発明によれば、ガンマ補正手段は変換回路から出力される３原色信号のそれぞれに対して設けられ、測定手段からの出力制御信号は分離回路または映像信号入力端子から供給されるアナログ輝度信号に基づいて生成され、測定手段からの出力制御信号によりガンマ補正手段のそれぞれをフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、より正確な補正が行われるものである。
【０１９１】
また、請求項１４の発明によれば、ガンマ補正手段は変換回路または原色信号入力端子から供給される３原色信号のそれぞれに対して設けられ、測定手段からの出力制御信号は変換回路または原色信号入力端子から供給されるアナログ３原色信号に基づいて生成され、測定手段からの出力制御信号によりガンマ補正手段のそれぞれをフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１９２】
さらに請求項１５の発明によれば、ガンマ補正手段は変換回路または原色信号入力端子から供給される３原色信号のそれぞれに対して設けられ、測定手段からの出力制御信号はガンマ補正手段から出力されるアナログ３原色信号に基づいて生成され、測定手段からの出力制御信号によりガンマ補正手段のそれぞれをフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１９３】
さらに請求項１６の発明によれば、ガンマ補正手段は変換回路または原色信号入力端子から供給される３原色信号のそれぞれに対して設けられ、測定手段からの出力制御信号はＡ／Ｄ変換手段から出力されるデジタル変換された３原色信号に基づいて生成され、測定手段からの出力制御信号によりガンマ補正手段のそれぞれをフィードバック制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現されてより正確な補正が行われると共に、３原色信号が独立して供給されるＲＧＢ入力端子にも対応させることができるものである。
【０１９４】
さらに請求項１７の発明によれば、ガンマ補正手段はＡ／Ｄ変換手段から出力されるデジタル変換された３原色信号のそれぞれに対して設けられ、測定手段からの出力制御信号は分離回路または映像信号入力端子から供給されるアナログ輝度信号に基づいて生成され、測定手段からの出力制御信号によりガンマ補正手段のそれぞれをフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子にも対応させることができるものである。
【０１９５】
さらに請求項１８の発明によれば、ガンマ補正手段はＡ／Ｄ変換手段から出力されるデジタル変換された３原色信号のそれぞれに対して設けられ、測定手段からの出力制御信号は変換回路または原色信号入力端子から供給されるアナログ３原色信号に基づいて生成され、測定手段からの出力制御信号によりガンマ補正手段のそれぞれをフィードフォワード制御することにより、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子にも対応させることができるものである。
【０１９６】
さらに請求項１９の発明によれば、ガンマ補正手段はＡ／Ｄ変換手段またはデジタル入力端子から供給されるデジタル変換された３原色信号のそれぞれに対して設けられ、測定手段からの出力制御信号はＡ／Ｄ変換手段またはデジタル入力端子から供給されるデジタル変換された３原色信号に基づいて生成され、測定手段からの出力制御信号によりガンマ補正手段のそれぞれをフィードフォワード制御することにより、３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子、及びデジタルＲＧＢ入力端子にも対応させることができるものである。
【０１９７】
さらに請求項２０の発明によれば、ガンマ補正手段はＡ／Ｄ変換手段またはデジタル入力端子から供給される３原色信号のそれぞれに対して設けられ、測定手段からの出力制御信号はガンマ補正手段から出力されるデジタル３原色信号に基づいて生成され、測定手段からの出力制御信号によりガンマ補正手段のそれぞれをフィードバック制御することにより、３原色信号ごとのガンマ補正曲線が制御されることで、被写体輝度レベルの低いシーンでは中間輝度レベルが増強されて暗いシーンの画像が見易くされると共に、この際に映像信号の最大出力が一定に保持されるので、全体が暗い被写体の中に一部分だけ明るくなっているようなシーンでも明るい部分の階調が良好に表現され、またデジタル処理を用いることによってそれぞれの信号の特性等に合わせたより複雑な補正が行われると共に、３原色信号が独立して供給されるＲＧＢ入力端子、及びデジタルＲＧＢ入力端子にも対応させることができるものである。
【図面の簡単な説明】
【図１】本発明の適用される表示装置の一実施形態の構成図である。
【図２】その動作の説明のための図である。
【図３】本発明の適用される表示装置の要部の一実施形態の構成図である。
【図４】その動作の説明のための図である。
【図５】本発明の適用される表示装置の他の実施形態の構成図である。
【図６】本発明の適用される表示装置の他の実施形態の構成図である。
【図７】本発明の適用される表示装置の他の実施形態の構成図である。
【図８】本発明の適用される表示装置の他の実施形態の構成図である。
【図９】本発明の適用される表示装置の他の実施形態の構成図である。
【図１０】本発明の適用される表示装置の他の実施形態の構成図である。
【図１１】本発明の適用される表示装置の他の実施形態の構成図である。
【図１２】本発明の適用される表示装置の他の実施形態の構成図である。
【図１３】本発明の適用される表示装置の他の実施形態の構成図である。
【図１４】本発明の適用される表示装置の他の実施形態の構成図である。
【図１５】本発明の適用される表示装置の他の実施形態の構成図である。
【図１６】本発明の適用される表示装置の他の実施形態の構成図である。
【図１７】本発明の適用される表示装置の他の実施形態の構成図である。
【図１８】本発明の適用される表示装置の他の実施形態の構成図である。
【図１９】本発明の適用される表示装置の他の実施形態の構成図である。
【符号の説明】
１…複合映像信号の入力端子、２…輝度（Ｙ）／色差信号（Ｒ−Ｙ／Ｂ−Ｙ）の分離回路、３Ｙ，３Ｒ，３Ｂ…切り換えスイッチ、４…輝度（Ｙ）／色差信号（Ｒ−Ｙ／Ｂ−Ｙ）の分離された映像信号の入力端子、５…ダイナミックガンマ回路、６…原色信号（Ｒ／Ｇ／Ｂ）の変換回路、７Ｒ，７Ｇ，７Ｂ…Ａ／Ｄ変換回路、８…表示手段、９…比較回路、１０…積分回路、１１…制御回路
【図１】
0004802350.tif 000002
【図２】
0004802350.tif 000003
【図３】
0004802350.tif 000004
【図４】
0004802350.tif 000005
【図５】
0004802350.tif 000006
【図６】
0004802350.tif 000007
【図７】
0004802350.tif 000008
【図８】
0004802350.tif 000009
【図９】
0004802350.tif 000010
【図１０】
0004802350.tif 000011
【図１１】
0004802350.tif 000012
【図１２】
0004802350.tif 000013
【図１３】
0004802350.tif 000014
【図１４】
0004802350.tif 000015
【図１５】
0004802350.tif 000016
【図１６】
0004802350.tif 000017
【図１７】
0004802350.tif 000018
【図１８】
0004802350.tif 000019
【図１９】
0004802350.tif 000020